(57)【要約】【課題】使用者に充電式電気機器の状態を的確に報知することができる充電式電気機器を提供することを課題とする。【解決手段】充電式電気機器を構成する充電式電気かみそり１１に着脱自在に接続される充電アダプタ１２を介して外部からの給電により内部に保有する二次電池１１０を充電し、充電式電気かみそり１１に充電アダプタ１２が接続されていない状態で二次電池１１０から給電されて動作し使用可能となる充電式電気かみそり１１において、充電アダプタ１２が充電式電気かみそり１１に接続されて二次電池１１０が充電されて充電が完了しすべてのＬＥＤ０〜ＬＥＤ５が消灯状態になった後、動作スイッチ１４が操作されると、点滅表示して充電式電気かみそり１１は充電アダプタ１２が接続された状態では使用することができないことを報知するＬＥＤ０を備えて構成される。【選択図】図１
2012023850.tif 000002
【特許請求の範囲】
【請求項１】
充電式電気機器に着脱自在に接続される充電アダプタを介して外部からの給電により内部に保有する二次電池を充電し、前記充電式電気機器に前記充電アダプタが接続されていない状態で前記二次電池から給電されて動作し使用可能となる充電式電気機器において、
前記充電アダプタが前記充電式電気機器に接続されて前記二次電池が充電されて充電が完了し非報知状態になった後、動作スイッチが操作されると、前記充電式電気機器は前記充電アダプタが接続された状態では使用することができない旨を報知する報知手段
を有することを特徴とする充電式電気機器。
【請求項２】
前記報知手段は、発光、音声もしくは振動により、充電式電気機器は充電アダプタが接続された状態では使用することができないことを報知する
ことを特徴とする請求項１に記載の充電式電気機器。
【請求項３】
充電式電気機器に着脱自在に接続される充電アダプタを介して外部からの給電により内部に保有する二次電池を充電し、前記充電式電気機器に前記充電アダプタが接続されていない状態で前記二次電池から給電されて動作し使用可能となる充電式電気機器において、
前記充電アダプタが前記充電式電気機器に接続されて前記二次電池が充電されて充電が完了し非報知状態になった後、動作スイッチが操作されると、前記二次電池は満充電されている旨を報知する報知手段
を有することを特徴とする充電式電気機器。
【発明の詳細な説明】
【技術分野】
【０００１】
本発明は、充電可能な二次電池を電源として動作する充電式電気機器に関する。
【背景技術】
【０００２】
従来、この種の技術としては、例えば以下に示す文献に記載されたものが知られている（特許文献１参照）。この文献１には、充電中であることを表示する充電中表示部と、使用中において充電池の電圧が一定値より降下したことを検出して表示する充電予告表示部を備えた充電式電気かみそりの技術が記載されている。
【先行技術文献】
【特許文献】
【０００３】
【特許文献１】特公平７−９００５７号公報
【発明の概要】
【発明が解決しようとする課題】
【０００４】
上記したように、各種表示部を備えた充電式電気かみそりにおいて、充電完了後は表示を消灯して待機電力を低減しているものがある。このよう充電式電気かみそりの場合に、充電が終了した状態、すなわち、表示がすべて消灯している状態では、使用者は現在の充電式電気かみそりの状態を認識することは困難となっていた。
【０００５】
さらに、このような状態において、使用者が充電式電気かみそりに含まれていない動作機能を期待して操作を行った場合に、表示がすべて消灯している状態のままであると、使用者は期待はずれの状態となり、不審感を抱くおそれがあった。また、表示が消灯している状態のままであると、現在の充電状態がどの程度であるのか認識することが困難となっていた。
【０００６】
そこで、本発明は、上記に鑑みてなされたものであり、その目的とするところは、使用者に充電式電気機器の状態を的確に報知することができる充電式電気機器を提供することにある。
【課題を解決するための手段】
【０００７】
上記目的を達成するために、本発明に係る充電式電気機器は、充電式電気機器に着脱自在に接続される充電アダプタを介して外部からの給電により内部に保有する二次電池を充電し、充電式電気機器に充電アダプタが接続されていない状態で二次電池から給電されて動作し使用可能となる充電式電気機器において、充電アダプタが充電式電気機器に接続されて二次電池が充電されて充電が完了し非報知状態になった後、動作スイッチが操作されると、充電式電気機器は充電アダプタが接続された状態では使用することができない旨を報知する報知手段を有することを特徴とする。
【０００８】
本発明に係る充電式電気機器は、充電式電気機器に着脱自在に接続される充電アダプタを介して外部からの給電により内部に保有する二次電池を充電し、充電式電気機器に充電アダプタが接続されていない状態で二次電池から給電されて動作し使用可能となる充電式電気機器において、充電アダプタが充電式電気機器に接続されて二次電池が充電されて充電が完了し非報知状態になった後、動作スイッチが操作されると、二次電池は満充電されている旨を報知する報知手段を有することを特徴とする。
【発明の効果】
【０００９】
本発明に係る充電式電気機器は、二次電池の充電完了後における非報知状態において、動作スイッチが操作されると、充電式電気機器の状態を報知するようにしたので、充電式電気機器を動作させずに、充電式電気機器の現在の状態を的確に報知することが可能となる。
【図面の簡単な説明】
【００１０】
【図１】本発明の実施形態１に係る充電式電気かみそりの構成を示す図である。
【図２】本発明の実施形態１に係る充電式電気かみそりの回路部の構成を示す図である。
【図３】本発明の実施形態１に係る動作処理の手順を示すフローチャートである。
【図４】本発明の実施形態２に係る充電式電気かみそりの構成を示す図である。
【図５】本発明の実施形態３に係る充電式電気かみそりの構成を示す図である。
【図６】本発明の実施形態４に係る充電式電気かみそりの構成を示す図である。
【発明を実施するための形態】
【００１１】
以下、図面を用いて本発明を実施するための実施形態を説明する。
【００１２】
（実施形態１）
本発明の充電式電気機器は、例えば二次電池を備えた電気かみそり、電動バリカン、脱毛器、電動歯ブラシといった小型の充電式電気機器に適用することができる。したがって、以下の実施形態１〜４では、本発明の充電式電気機器を充電式電気かみそりに適用した際の実施形態を一例として説明する。
【００１３】
図１は本発明の実施形態１に係る充電式電気かみそりの構成を示す図である。図１に示す実施形態１の充電式電気かみそり１１は、充電アダプタ１２を介して１００Ｖ〜２４０Ｖ程度の交流の商用電源１３に接続されることで、内部に保有する二次電池（図示せず）に充電が行われる。このように、充電アダプタ１２が充電式電気かみそり１１に接続されている状態においては、充電式電気かみそり１１は、電気かみそりとしては使用することはできない仕様となっている。したがって、このような状態、すなわち充電アダプタ１２が充電式電気かみそり１１に接続されている状態での動作は、充電式電気かみそり１１に含まれていない動作機能の一つとなる。
【００１４】
充電式電気かみそり１１は、充電アダプタ１２が接続されておらず、内部に保有する二次電池に所定の電池容量が充電されている状態で、動作スイッチ１４を押下することで電気かみそりとして使用することが可能となる。
【００１５】
充電式電気かみそり１１の本体ケースには、図１に示すように６つ発光ダイオードのＬＥＤ０〜ＬＥＤ５（報知手段）が縦列配置されている。ＬＥＤ１〜ＬＥＤ５は、例えば緑色に発光し、充電式電気かみそり１１が内部に保有する二次電池の充電状態を段階的に表示し、満充電時にはＬＥＤ１〜ＬＥＤ５がすべて点灯して表示される。充電式電気かみそり１１の充電が開始されて充電が完了すると、ＬＥＤ０〜ＬＥＤ５がすべて点灯した後所定時間後に、待機電力の低減のためにすべてのＬＥＤ０〜ＬＥＤ５が消灯される。
【００１６】
ＬＥＤ０は、ＬＥＤ１〜ＬＥＤ５とは異なる発光色、例えば赤色に発光する。ＬＥＤ０の近傍には、充電アダプタ１２の記号（マーク）１５が設けられ、ＬＥＤ０が充電アダプタ１２に関する情報を報知する表示部であることを使用者に示している。ＬＥＤ０は、充電アダプタ１２が充電式電気かみそり１１に接続されていることを示す報知手段として機能する。すなわち、ＬＥＤ０は、充電アダプタ１２が充電式電気かみそり１１に接続されていると点灯し、接続されていないときには消灯することで、その旨使用者に報知する。
【００１７】
ＬＥＤ０は、使用者が充電式電気かみそりに含まれていない動作機能として、充電アダプタ１２が充電式電気かみそり１１に接続されている状態で使用しようとして動作スイッチ１４を押下したときに、点滅してその旨報知する。すなわち、ＬＥＤ０は、すべてのＬＥＤ０〜ＬＥＤ５が消灯し、充電アダプタ１２が充電式電気かみそり１１に接続された状態で使用者が動作スイッチ１４を押下して動作させようとした場合に、充電式電気かみそり１１が充電式の電気かみそりである旨を使用者に報知する報知手段として機能する。
【００１８】
図２は充電式電気かみそり１１の内部に設けられた回路部の構成を示す図である。図２において、回路部は、二次電池１１０、充電制御スイッチ１１１、ＭＣＵ１１５を備えて構成されている。
【００１９】
二次電池１１０は、充電アダプタ１２が充電式電気かみそり１１に接続されて、充電制御スイッチ１１１がオンされると、充電アダプタ１２を介して商用電源から給電されて充電される。
【００２０】
充電制御スイッチ１１１は、二次電池１１０の充電を開始する際にはオンされて、二次電池１１０と充電アダプタ１２とを接続し、二次電池１１０の充電が完了するとオフされて二次電池１１０と充電アダプタ１２とを電気的に切り離す。
【００２１】
ＭＣＵ１１５は、本充電式電気かみそり１１の動作機能を制御する制御中枢として機能し、プログラムに基づいて各種動作処理を制御するコンピュータに必要な、ＣＰＵ、記憶装置、入出力装置等の資源を備えた例えばマイクロコンピュータ等により実現される。
【００２２】
ＭＣＵ１１５は、二次電池１１０から給電されて動作し、充電制御スイッチ１１１のオン／オフを制御する。ＭＣＵ１１５は、表示部１１３を構成するＬＥＤ０〜ＬＥＤ５が上述したように点灯、点滅ならびに消灯されるように制御し、また後述する実施形態で説明するスピーカ２０や振動発生用ＤＣモータ３０を駆動制御する。さらに、ＭＣＵ１１５は、電気かみそりとしての機能を実現するための構成要件となるモータやこのモータで駆動制御される内刃などを含む動作部１１４の動作を制御する。
【００２３】
ＭＣＵ１１５は、充電アダプタ１２が充電式電気かみそり１１に接続されると、充電アダプタ１２からＭＣＵ１１５に充電アダプタ有無信号が入力されて、充電アダプタ１２が接続されたことを検出する。ＭＣＵ１１５は、充電アダプタ１２が接続されると、充電制御スイッチ１１１をオンして、充電制御スイッチ１１１を介して二次電池１１０と充電アダプタ１２とを接続して、二次電池１１０の充電を開始する。一方、ＭＣＵ１１５は、充電アダプタ１２が充電式電気かみそり１１から電気的に切り離されて非接続になると、ＭＣＵ１１５に充電アダプタ有無信号が入力されず、充電アダプタ１２が切り離されたことを検出する。ＭＣＵ１１５は、充電アダプタ１２が切り離されると、充電制御スイッチ１１１をオフして充電を停止する。
【００２４】
図３はこの実施形態１に係る動作処理の手順を示すフローチャートである。
【００２５】
図３において、先ず動作スイッチ１４で構成される操作部１１２から使用者の操作（動作スイッチ１４の押下操作）がＭＣＵ１１５に入力されると（ステップＳ６０１）、ＭＣＵ１１５は、充電アダプタ有無信号に基づいて充電アダプタ１２が充電式電気かみそり１１に接続されているか否かを判定する（ステップＳ６０２）。判定の結果、充電アダプタ１２が充電式電気かみそり１１に接続されていない場合には、動作部１１４が動作可能になるととともに、表示部１１３が動作時の所定の表示が可能となる（ステップＳ６０４）。
【００２６】
一方、充電アダプタ１２が充電式電気かみそり１１に接続され、かつＬＥＤ０〜ＬＥＤ５がすべて消灯している場合には、充電式電気かみそり１１は動作せず、かつＬＥＤ０が赤色で点滅する（ステップＳ６０３）。これにより、使用者が期待している動作が行われないこことを報知する。すなわち、この充電式電気かみそり１１は、充電アダプタ１２が接続されて商用電源から給電された状態では、電気かみそりとしては動作せず使用することができない旨を使用者に報知する。
【００２７】
このように、この実施形態１では、充電アダプタ１２が充電式電気かみそり１２に接続されて、すべてのＬＥＤ０〜ＬＥＤ５が消灯している状態で、使用者が動作スイッチ１４が押下した場合には、ＬＥＤ０が点滅表示される。これにより、使用者が充電アダプタ１２が充電式電気かみそり１１に接続されている状態では充電式電気かみそり１１を使用することができないことを知らずに、もしくは忘れてしまった場合であっても、その旨を確実に報知することが可能となる。したがって、このような場合に如何なる表示もなされなかった従来に比べて、使用者が充電式電気かみそり１１が故障等しているのではないかといった誤認を回避することが可能となり、使用者に不審感を抱かせることはなくなる。
【００２８】
（実施形態２）
図４は本発明の実施形態２に係る充電式電気かみそりの構成を示す図である。図４に示す実施形態２の充電式電気かみそり１１の特徴とするところは、先の図１に示す構成に対して、充電アダプタ１２の記号１５を削除し、スピーカ２０（報知手段）を設けたことにある。
【００２９】
スピーカ２０は、ＬＥＤ０が有する前述した報知機能の内、点滅して表示する報知機能をＬＥＤ０に代わって行っている。すなわち、スピーカ２０は、充電アダプタ１２が充電式電気かみそり１１に接続され、かつＬＥＤ０〜ＬＥＤ５がすべて消灯している状態において、動作スイッチ１４が押下されると、図２に示すＭＣＵ１１５の制御の下に音声を発生する。
【００３０】
このように、この実施形態２においては、使用者が充電アダプタ１２が充電式電気かみそり１１に接続されている状態では充電式電気かみそり１１を使用することができないことを知らずに、もしくは忘れてしまった場合であっても、その旨を音声によって確実に報知することが可能となる。したがって、このような場合に如何なる表示もなされなかった従来に比べて、使用者が充電式電気かみそり１１が故障等しているのではないかといった誤認を回避することが可能となり、使用者に不審感を抱かせることはなくなる。また、音声により報知することで、ＬＥＤ０の点滅により報知する場合に比べて、視覚に障害をもっている使用者にも確実に報知することが可能となる。
【００３１】
（実施形態３）
図５は本発明の実施形態３に係る充電式電気かみそりの構成を示す図である。図１に示す実施形態３の充電式電気かみそり１１の特徴とするところは、先の図１に示す構成に対して、充電アダプタ１２の記号１５を削除し、振動発生用ＤＣモータ３０（報知手段）を設けたことにある。
【００３２】
振動発生用ＤＣモータ３０は、ＬＥＤ０が有する前述した報知機能の内、点滅して表示する報知機能をＬＥＤ０に代わって行っている。すなわち、振動発生用ＤＣモータ３０は、充電アダプタ１２が充電式電気かみそり１１に接続され、かつＬＥＤ０〜ＬＥＤ５がすべて消灯している状態において、動作スイッチ１４が押下されると、図２に示すＭＣＵ１１５の制御の下に駆動されて充電式電気かみそり１１を振動させる。振動発生用ＤＣモータは、前述したように電気かみそりの内刃を駆動するモータと兼用したり、もしくは別途専用のモータにより構成することができる。
【００３３】
このように、この実施形態３においては、使用者が充電アダプタ１２が充電式電気かみそり１１に接続されている状態では充電式電気かみそり１１を使用することができないことを知らずに、もしくは忘れてしまった場合であっても、その旨を振動によって確実に報知することが可能となる。したがって、このような場合に如何なる表示もなされなかった従来に比べて、使用者が充電式電気かみそり１１が故障等しているのではないかといった誤認を回避することが可能となり、使用者に不審感を抱かせることはなくなる。また、振動により報知することで、ＬＥＤ０の点滅により報知する場合に比べて、視覚や聴覚に障害をもっている使用者にも確実に報知することが可能となる。
【００３４】
（実施形態４）
図６は本発明の実施形態３に係る充電式電気かみそりの構成を示す図である。図６に示す実施形態４の充電式電気かみそり１１は、先の実施形態１に対して、充電式電気かみそり１１の記号１５を削除し、実施形態１で説明したＬＥＤ０〜ＬＥＤ５の報知機能の一部を変更したことにある。
【００３５】
ＬＥＤ０は、先の実施形態１〜３と同様に、充電アダプタ１２が充電式電気かみそり１１に接続されていることを示す表示部として機能する。すなわち、ＬＥＤ０は、充電アダプタ１２が充電式電気かみそり１１に接続されていると点灯し、接続されていないときには消灯することで、その旨使用者に報知する。
【００３６】
一方、ＬＥＤ０は、前述した点滅表示に代えて、充電完了後すべてのＬＥＤ０〜ＬＥＤ５が消灯し、充電アダプタ１２が充電式電気かみそり１１に接続された状態で使用者が動作スイッチ１４を押下して動作させようとした場合に、ＭＣＵ１１５の制御の下に赤色で点灯表示される。これと同時に、ＬＥＤ１〜ＬＥＤ５もＭＣＵ１１５の制御の下に緑色で点灯表示される。すなわち、すべてのＬＥＤ０〜ＬＥＤ５が消灯し、充電アダプタ１２が充電式電気かみそり１１に接続された状態で使用者が動作スイッチ１４を押下すると、すべてのＬＥＤ０〜ＬＥＤ５が点灯表示される。これにより、充電式電気かみそり１１の内部に保有する二次電池１１０が満充電されていることを使用者に報知する。
【００３７】
このように、この実施形態４では、充電アダプタ１２が充電式電気かみそり１２に接続されて、すべてのＬＥＤ０〜ＬＥＤ５が消灯している状態で、使用者が動作スイッチ１４が押下した場合には、すべてのＬＥＤ０〜ＬＥＤ５が点灯表示される。これにより、二次電池１１０が満充電されていることを確実に報知することが可能となる。したがって、このような場合に如何なる表示もなされなかった従来に比べて、使用者が充電式電気かみそり１１が故障等しているのではないかといった誤認を回避することが可能となり、使用者に不審感を抱かせることはなくなる。
【符号の説明】
【００３８】
１１…充電式電気かみそり
１２…充電アダプタ
１３…商用電源
１４…動作スイッチ
１５…充電アダプタの記号
２０…スピーカ
３０…振動発生用ＤＣモータ
１１０…二次電池
１１１…充電制御スイッチ
１１２…操作部
１１３…表示部
１１４…動作部
１１５…ＭＣＵ
【図１】
2012023850.tif 000003
【図２】
2012023850.tif 000004
【図３】
2012023850.tif 000005
【図４】
2012023850.tif 000006
【図５】
2012023850.tif 000007
【図６】
2012023850.tif 000008